(57)【要約】【課題】ウェブページの更新作業の負荷を低減する。【解決手段】通信端末１６において、処理部３４が、撮像カメラ１８で撮像された撮像画像を取得するとともに、撮像カメラ１８が受光した変調された照明光を復調処理して情報を取得し、送信部３８が、取得した撮像画像を送信するとともに、撮像画像を用いて更新する対象のウェブページ又はウェブページ上のコンテンツを取得した情報を用いて指定する信号を送信する。【選択図】図３
2017199301.tif 000002
【特許請求の範囲】
【請求項１】
コンピュータに、
撮像カメラで撮像された撮像画像を取得するとともに、前記撮像カメラが受光した変調された照明光を復調処理して情報を取得し、
取得した前記撮像画像を送信するとともに、該撮像画像を用いて更新する対象のウェブページ又はウェブページ上のコンテンツを取得した前記情報を用いて指定する信号を送信する、
ことを含む処理を実行させる通信プログラム。
【請求項２】
ウェブページに関する更新指示の入力に応じて、前記撮像画像と前記指定する信号の送信を行う、
請求項１記載の通信プログラム。
【請求項３】
前記更新指示を入力するための画面を表示装置に表示する場合に、前記撮像カメラにより撮像された撮像画像をプレビュー画像として表示する、
請求項２記載の通信プログラム。
【請求項４】
前記情報を取得したタイミングで前記撮像カメラにより撮像を行い、撮像された撮像画像を前記プレビュー画像として表示する、
請求項３記載の通信プログラム。
【請求項５】
前記更新指示を入力するための画面を、前記撮像画像に対して画像処理を行う指示、及び画像を選択するための指示の少なくとも一方を入力可能に前記表示装置に表示し、
前記撮像画像に代えて、前記撮像画像に対して画像処理が行われた画像、又は選択された画像を送信するとともに、前記指定する信号を送信する、
請求項３又は請求項４記載の通信プログラム。
【請求項６】
撮像カメラと、
前記撮像カメラで撮像された撮像画像を取得するとともに、前記撮像カメラが受光した変調された照明光を復調処理して情報を取得する処理部と、
取得した前記撮像画像を送信するとともに、該撮像画像を用いて更新する対象のウェブページ又はウェブページ上のコンテンツを取得した前記情報を用いて指定する信号を送信する送信部と、
を備えたことを特徴とする通信端末。
【請求項７】
コンピュータに、
撮像カメラで撮像された撮像画像を取得するとともに、前記撮像カメラが受光した変調された照明光を復調処理して情報を取得し、
取得した前記撮像画像を送信するとともに、該撮像画像を用いて更新する対象のウェブページ又はウェブページ上のコンテンツを取得した前記情報を用いて指定する信号を送信する、
ことを含む処理を実行させる通信方法。
【発明の詳細な説明】
【技術分野】
【０００１】
本発明は、通信プログラム、通信端末、及び通信方法に関する。
【背景技術】
【０００２】
従来、撮像カメラを用いて、撮像範囲内の情報発信源（光源）による可視光通信で得られた情報を撮像画像に重畳して表示する装置が知られている。
【先行技術文献】
【特許文献】
【０００３】
【特許文献１】国際公開第２０１１／１５５１３０号
【発明の概要】
【発明が解決しようとする課題】
【０００４】
前述した可視光通信で伝送可能な情報量は比較的少ないため、光源からは光源を識別する識別情報を可視光通信で送信し、識別情報にリンクされる（紐付けられる）情報は別の手段により送信することで情報量の不足を補うことが考えられる。
【０００５】
例えば、ユーザが、撮像カメラを用いて得られた光源の識別情報を、サーバコンピュータ（以下、「サーバ」という）等の装置に登録する場合を考える。この場合、ユーザは、識別情報に紐付けられる情報（例えば、情報を表示するためのウェブページ等）を、別途ポータルサイト等を利用してサーバに登録する必要がある。このため、ユーザにとってはウェブページの更新作業の負荷が比較的高いものであった。
【０００６】
例えば、商品を販売する店舗等では、被写体（商品）の入れ替え等の変更が頻繁に発生することが多く、変更の度にウェブページの更新作業が発生し、ウェブページの更新作業の負荷が増大する。
【０００７】
本発明は、一つの側面として、ウェブページの更新作業の負荷を低減することを目的とする。
【課題を解決するための手段】
【０００８】
本発明は、一つの側面として、撮像カメラで撮像された撮像画像を取得するとともに、前記撮像カメラが受光した変調された照明光を復調処理して情報を取得する。そして、取得した前記撮像画像を送信するとともに、該撮像画像を用いて更新する対象のウェブページ又はウェブページ上のコンテンツを取得した前記情報を用いて指定する信号を送信する。
【発明の効果】
【０００９】
一つの側面として、ウェブページの更新作業の負荷を低減することができる、という効果を有する。
【図面の簡単な説明】
【００１０】
【図１】実施形態に係る通信システムの概略構成を示すブロック図である。
【図２】実施形態に係る照明機器を説明するための概略図である。
【図３】実施形態に係る通信端末の機能ブロック図である。
【図４】実施形態に係るサーバコンピュータの機能ブロック図である。
【図５】認証・配信テーブルの一例を示す図である。
【図６】受付テーブルの一例を示す図である。
【図７】実施形態に係る通信端末として機能するコンピュータの概略構成を示すブロック図である。
【図８】実施形態に係るサーバコンピュータとして機能するコンピュータの概略構成を示すブロック図である。
【図９】実施形態に係る端末処理の一例を示すフローチャートである。
【図１０】認証情報設定画面の一例を示す図である。
【図１１】機能選択画面の一例を示す図である。
【図１２】実施形態に係る登録・更新処理の一例を示すフローチャートである。
【図１３】撮像カメラによる撮像時の通信端末の表示内容の一例を示す図である。
【図１４】登録画面の一例を示す図である。
【図１５】更新後の登録画面の一例を示す図である。
【図１６】実施形態に係る閲覧処理の一例を示すフローチャートである。
【図１７】閲覧画面の一例を示す図である。
【図１８】実施形態に係るサーバ登録処理の一例を示すフローチャートである。
【図１９】実施形態に係るサーバ閲覧処理の一例を示すフローチャートである。
【図２０】登録処理における各装置間での情報の送受信の一例を示すシーケンス図である。
【図２１】登録処理における各装置間での情報の送受信の一例を示すシーケンス図である。
【図２２】閲覧処理における各装置間での情報の送受信の一例を示すシーケンス図である。
【図２３】変形例に係る登録画面の一例を示す図である。
【図２４】編集画面の一例を示す図である。
【図２５】変形例に係る受付テーブルの一例を示す図である。
【図２６】変形例に係る閲覧画面の一例を示す図である。
【図２７】変形例に係る受付テーブルの一例を示す図である。
【図２８】変形例に係る閲覧画面の一例を示す図である。
【図２９】変形例に係る受付テーブルの一例を示す図である。
【図３０】変形例に係る閲覧画面の一例を示す図である。
【発明を実施するための形態】
【００１１】
以下、図面を参照して、本発明の実施形態の一例を詳細に説明する。
【００１２】
まず、図１を参照して、本実施形態に係る通信システム１０の構成について説明する。図１に示すように、通信システム１０は、照明機器１２、通信端末１６、及びサーバコンピュータ２０（以下、「サーバ２０」という）を含む。照明機器１２は、例えばLight Emitting Diode（ＬＥＤ）等の光源１４を含み、被写体Ｈに対して照明光を照射する。
【００１３】
通信端末１６は、Complementary Metal Oxide Semiconductor（ＣＭＯＳ）イメージセンサ等のイメージセンサを有し、撮像範囲内の画像を撮像する撮像カメラ１８（以下、「カメラ１８」という）を含む。また、通信端末１６及びサーバ２０は、互いに通信可能にネットワーク２２に接続されている。なお、本実施形態では、通信端末１６としてスマートフォンを適用した場合について説明するが、これに限定されない。カメラ１８を備えた装置であれば、通信端末１６として、例えば、タブレット端末、及びラップトップ型のパーソナルコンピュータ等の他の装置を適用してもよい。
【００１４】
次に、図２を参照して、照明機器１２から照射される照明光について説明する。本実施形態では、照明機器１２は、光の強弱を時間軸方向で制御することで、所定の識別情報（「０」及び「１」で構成された数字列）を含めた照明光を被写体Ｈに照射する。例えば、図２に示すように、照明機器１２は、光源１４が照射可能なＲＧＢ各色の成分の光の強弱を時間軸方向で制御することで、所定の識別情報に応じて、「０」を表す波形の波と、「１」を表す波形の波とが切り替わるように変調した照明光を照射する。
【００１５】
また、照明機器１２から被写体Ｈに照射された照明光は被写体Ｈによって反射され、カメラ１８で受光される。従って、通信端末１６は、カメラ１８が受光した変調された照明光を復調処理することで、照明光に含まれる識別情報を取得することができる。このように、本実施形態では、照明機器１２から照射される照明光に所定の識別情報を含めるため、この照明光に含まれる識別情報を「照明Identification（ＩＤ）」という。
【００１６】
次に、図３及び図４を参照して本実施形態に係る通信端末１６及びサーバ２０の機能的な構成を説明する。図３に示すように、通信端末１６は、撮像制御部３０、記憶制御部３２、処理部３４、表示制御部３６、及び送信部３８を含む制御部２４を備える。撮像制御部３０は、カメラ１８を制御する。記憶制御部３２は、ユーザ等が入力した認証情報４０等の各種情報を所定の記憶領域に記憶する。本実施形態では、記憶制御部３２は、認証情報４０として、例えばユーザが所属する事業者を識別する事業者ＩＤ及びパスワードを記憶領域に記憶する。
【００１７】
処理部３４は、カメラ１８で撮像された撮像画像を取得するとともに、撮像カメラ１８が受光した変調された照明光を復調処理して照明ＩＤを取得する。なお、本実施形態では、処理部３４は、照明ＩＤを取得したタイミングで、カメラ１８で撮像された撮像画像を取得する。
【００１８】
表示制御部３６は、通信端末１６が備える表示装置（図３において図示省略）に対する表示を制御する。本実施形態では、表示制御部３６は、ウェブページに関する更新指示を入力するための入力画面（後述する登録画面１２０）を表示装置に表示する。また、表示制御部３６は、入力画面を表示装置に表示する際、カメラ１８により撮像され、処理部３４により取得された撮像画像をプレビュー画像として表示する。
【００１９】
送信部３８は、処理部３４により取得された撮像画像を示す画像データを送信するとともに、該撮像画像を用いてウェブページ又はウェブページ上のコンテンツを、処理部３４により取得された照明ＩＤを用いて指定する信号をサーバ２０に送信する。本実施形態では、送信部３８は、該指定する信号として、ウェブページ又はウェブページ上のコンテンツ（例えば静止画像や動画像等）を指定するHyperText Transfer Protocol（ＨＴＴＰ）のUniform Resource Locator（ＵＲＬ）をサーバ２０に送信する。
【００２０】
なお、送信部３８は、ウェブページに関する更新指示の入力に応じて、上記撮像画像及びＵＲＬをサーバ２０に送信する。また、送信部３８は、記憶制御部３２により記憶領域に記憶された認証情報４０をサーバ２０に送信する。
【００２１】
一方、図４に示すように、サーバ２０は、受付部５０、認証・配信部５２、及びウェブ表示部５４を含む。また、サーバ２０の所定の記憶領域には、認証・配信テーブル５６及び受付テーブル５８が記憶される。
【００２２】
認証・配信テーブル５６には、照明ＩＤ毎に、認証情報４０、及びＵＲＬが記憶される。図５に、認証・配信テーブル５６の一例を示す。図５に示すように、認証・配信テーブル５６には、照明ＩＤ毎にＵＲＬ、事業者ＩＤ、及びパスワードが記憶される。なお、本実施形態では、認証・配信テーブル５６には、サーバ２０の管理者等によって、照明ＩＤ、事業者ＩＤ、及びパスワードが予め記憶されているものとする。
【００２３】
受付テーブル５８には、照明ＩＤ毎に、ＵＲＬ、及びＵＲＬへのＨＴＴＰ要求があった場合に、該ＵＲＬに対応するウェブページに表示される情報が記憶される。図６に、受付テーブル５８の一例を示す。図６に示すように、受付テーブル５８には、照明ＩＤ毎にＵＲＬ、画像データの格納パス、及びコメントを示す文字列が記憶される。なお、受付テーブル５８に、画像データの格納パスに代えて、画像データ自体を記憶してもよい。
【００２４】
受付部５０は、通信端末１６により送信された照明ＩＤ、事業者ＩＤ、パスワード、ＵＲＬ、画像データ、及びコメント等の各種情報を受け付ける。また、受付部５０は、受け付けた画像データをサーバ２０の所定の記憶領域に記憶する。また、受付部５０は、受け付けた照明ＩＤ、ＵＲＬ、画像データの格納パス、及びコメントを用いて、受付テーブル５８を更新する。また、受付部５０は、受け付けた画像データ及びコメントを表示するウェブページに対応するファイルとして、ウェブページ記述用のマークアップ言語の一例であるHyperText Markup Language（ＨＴＭＬ）で記述されたＨＴＭＬファイルを生成する。
【００２５】
認証・配信部５２は、受付部５０により受け付けられた照明ＩＤ、事業者ＩＤ、及びパスワードと、認証・配信テーブル５６とを用いて認証を行う。本実施形態では、認証・配信部５２は、受付部５０により受け付けられた照明ＩＤ、事業者ＩＤ、及びパスワードを含むレコードが、認証・配信テーブル５６に存在する場合は、認証結果として「正常」であることを示す情報を通信端末１６に送信する。また、認証・配信部５２は、受付部５０により受け付けられた照明ＩＤ、事業者ＩＤ、及びパスワードを含むレコードが、認証・配信テーブル５６に存在しない場合は、認証結果として「異常」であることを示す情報を通信端末１６に送信する。
【００２６】
また、認証・配信部５２は、受付部５０により受け付けられた照明ＩＤ、ＵＲＬ、及び事業者ＩＤを用いて、認証・配信テーブル５６を更新する。本実施形態では、認証・配信部５２は、受付部５０により受け付けられた照明ＩＤ及び事業者ＩＤに対応する認証・配信テーブル５６のレコードのＵＲＬ列に、受付部５０により受け付けられたＵＲＬを記憶する。
【００２７】
ウェブ表示部５４は、受付部５０により生成されたＨＴＭＬファイルを、サーバ２０のＨＴＴＰプロセスが参照可能な記憶領域に記憶する。また、ウェブ表示部５４は、通信端末１６により送信されたＨＴＴＰ要求を受信すると、受信したＨＴＴＰ要求に対応するＨＴＭＬファイル及び画像データを通信端末１６に送信する。
【００２８】
通信端末１６は、例えば図７に示すコンピュータ６０で実現することができる。コンピュータ６０は、Central Processing Unit（ＣＰＵ）６１、一時記憶領域としてのメモリ６２、及び不揮発性の記憶部６３を備える。また、コンピュータ６０は、カメラ１８、及び表示装置と入力装置とが一体化して構成されたタッチパネルディスプレイ（以下、「ディスプレイ」という）等の入出力装置６５が接続される入出力インタフェース（Ｉ／Ｆ）６４を備える。また、コンピュータ６０は、メモリカード等の記録媒体６９に対するデータの読み込みと書き込みとを制御するＲｅａｄ／Ｗｒｉｔｅ（Ｒ／Ｗ）部６６、及び無線通信によりデータの送受信を行う通信Ｉ／Ｆ６７を備える。ＣＰＵ６１、メモリ６２、記憶部６３、入出力Ｉ／Ｆ６４、Ｒ／Ｗ部６６、及び通信Ｉ／Ｆ６７は、バス６８を介して互いに接続される。
【００２９】
記憶部６３は、Hard Disk Drive（ＨＤＤ）、Solid State Drive（ＳＳＤ）、フラッシュメモリ等によって実現することができる。記憶媒体としての記憶部６３には、コンピュータ６０を通信端末１６の制御部２４として機能させるための通信プログラム７０が記憶される。通信プログラム７０は、撮像制御プロセス７１、記憶制御プロセス７２、処理プロセス７３、表示制御プロセス７４、及び送信プロセス７５を有する。また、記憶部６３は、認証情報４０が記憶される情報記憶領域７６を有する。
【００３０】
ＣＰＵ６１は、通信プログラム７０を記憶部６３から読み出してメモリ６２に展開し、通信プログラム７０が有するプロセスを実行する。ＣＰＵ６１は、撮像制御プロセス７１を実行することで、図３に示す撮像制御部３０として動作する。ＣＰＵ６１は、記憶制御プロセス７２を実行することで、図３に示す記憶制御部３２として動作する。ＣＰＵ６１は、処理プロセス７３を実行することで、図３に示す処理部３４として動作する。ＣＰＵ６１は、表示制御プロセス７４を実行することで、図３に示す表示制御部３６として動作する。ＣＰＵ６１は、送信プロセス７５を実行することで、図３に示す送信部３８として動作する。これにより、通信プログラム７０を実行したコンピュータ６０が、通信端末１６の制御部２４として機能することになる。
【００３１】
サーバ２０は、例えば図８に示すコンピュータ８０で実現することができる。コンピュータ８０は、ＣＰＵ８１、一時記憶領域としてのメモリ８２、及び不揮発性の記憶部８３を備える。また、コンピュータ８０は、表示装置及び入力装置等の入出力装置８４を備える。また、コンピュータ８０は、記録媒体８８に対するデータの読み込みと書き込みとを制御するＲ／Ｗ部８５、及びネットワークに接続されるネットワークＩ／Ｆ８６を備える。ＣＰＵ８１、メモリ８２、記憶部８３、入出力装置８４、Ｒ／Ｗ部８５、及びネットワークＩ／Ｆ８６は、バス８７を介して互いに接続される。
【００３２】
記憶部８３は、ＨＤＤ、ＳＳＤ、フラッシュメモリ等によって実現することができる。記憶媒体としての記憶部８３には、コンピュータ８０をサーバ２０として機能させるためのサーバ処理プログラム９０が記憶される。サーバ処理プログラム９０は、受付プロセス９１、認証・配信プロセス９２、及びウェブ表示プロセス９３を有する。また、記憶部８３は、認証・配信テーブル５６及び受付テーブル５８が記憶される情報記憶領域９４を有する。
【００３３】
ＣＰＵ８１は、サーバ処理プログラム９０を記憶部８３から読み出してメモリ８２に展開し、サーバ処理プログラム９０が有するプロセスを実行する。ＣＰＵ８１は、受付プロセス９１を実行することで、図４に示す受付部５０として動作する。ＣＰＵ８１は、認証・配信プロセス９２を実行することで、図４に示す認証・配信部５２として動作する。ＣＰＵ８１は、ウェブ表示プロセス９３を実行することで、図４に示すウェブ表示部５４として動作する。これにより、サーバ処理プログラム９０を実行したコンピュータ８０が、サーバ２０として機能することになる。
【００３４】
また、通信プログラム７０及びサーバ処理プログラム９０の各々により実現される機能は、例えば半導体集積回路、より詳しくはApplication Specific Integrated Circuit（ＡＳＩＣ）等で実現することも可能である。
【００３５】
次に、本実施形態に係る通信端末１６及びサーバ２０の作用を説明する。通信端末１６が通信プログラム７０を実行することで、図９に示す端末処理を実行する。図９に示す端末処理は、例えば通信端末１６にインストールされたアプリケーションプログラムの実行開始の指示がユーザによって入力された場合に、ＣＰＵ６１により実行が開始される。
【００３６】
図９に示す端末処理のステップＳ１０で、記憶制御部３２は、記憶部６３の情報記憶領域７６に認証情報４０が記憶されているか否かを判定する。この判定が否定判定となった場合は、処理はステップＳ１２に移行する。ステップＳ１２で、表示制御部３６は、認証情報４０を設定するための認証情報設定画面を、入出力装置６５のディスプレイに表示する。図１０に、認証情報設定画面１００の一例を示す。図１０に示すように、本実施形態に係る認証情報設定画面１００は、事業者ＩＤの入力欄１０２、パスワードの入力欄１０４、及び設定ボタン１０６を含む。
【００３７】
通信端末１６のユーザは、通信端末１６のディスプレイに認証情報設定画面１００が表示されると、入力欄１０２に事業者ＩＤを入力し、入力欄１０４にパスワードを入力した後、設定ボタン１０６を指定する。なお、ここで入力する事業者ＩＤ及びパスワードはサーバ２０の管理者等からユーザに予め通知されているものとする。
【００３８】
そこで、ステップＳ１４で、記憶制御部３２は、ユーザにより事業者ＩＤ及びパスワードが入力され、設定ボタン１０６が指定されるまで待機する。認証情報設定画面１００において、ユーザにより設定ボタン１０６が指定されるとステップＳ１４が肯定判定となり、処理はステップＳ１６に移行する。ステップＳ１６で、記憶制御部３２は、認証情報設定画面１００で入力された事業者ＩＤ及びパスワードを、認証情報４０として記憶部６３の情報記憶領域７６に記憶した後、処理はステップＳ１０に戻る。
【００３９】
一方、ステップＳ１０の判定が肯定判定となった場合は、処理はステップＳ１８に移行する。ステップＳ１８で、表示制御部３６は、機能を選択するための機能選択画面を、入出力装置６５のディスプレイに表示する。図１１に、機能選択画面１１０の一例を示す。図１１に示すように、本実施形態に係る機能選択画面１１０は、管理者機能を選択するためのボタン１１２及び利用者機能を選択するためのボタン１１４を含む。
【００４０】
通信端末１６のユーザは、通信端末１６のディスプレイに機能選択画面１１０が表示されると、管理者機能を使用する場合はボタン１１２を指定し、利用者機能を使用する場合はボタン１１４を指定する。
【００４１】
そこで、ステップＳ２０で、表示制御部３６は、管理者機能を選択するためのボタン１１２が指定されたか否かを判定する。この判定が肯定判定となった場合は、処理はステップＳ２２に移行する。ステップＳ２２で、図１２に示す登録・更新処理が実行された後、処理はステップＳ１０に戻る。
【００４２】
図１２に示す登録・更新処理のステップＳ３０で、撮像制御部３０は、カメラ１８を起動する。カメラ１８が起動されると、カメラ１８は受光を開始し、カメラ１８により所定のフレームレートで撮像された撮像画像が、表示制御部３６により通信端末１６のディスプレイに連続的に表示される。一例として図１３に示すように、本実施形態では、表示制御部３６は、カメラ１８により撮像された画像に、マーカーＬ及びマーカーＭを重畳させて通信端末１６のディスプレイに表示する。図１３に示すように、マーカーＬは、ディスプレイの四隅の近傍に各々表示されるＬ字型の目印であり、マーカーＭは、ディスプレイの中心部を交差点とする十字型の目印である。通信端末１６のユーザは、被写体Ｈの全体がマーカーＬの内側に収まり、かつ被写体Ｈの中心がマーカーＭの交差点に一致するように、通信端末１６の位置を調整する。
【００４３】
ステップＳ３２で、処理部３４は、撮像カメラ１８が受光した変調された照明光を復調処理して照明ＩＤを取得する。具体的には、処理部３４は、連続的に取得される各フレームの輝度値の変化に基づいて、照明ＩＤを復調して取得する。次のステップＳ３４で、処理部３４は、ステップＳ３２で照明ＩＤが取得されたタイミングで撮像カメラ１８により撮像された撮像画像を取得する。
【００４４】
次のステップＳ３６で、送信部３８は、ステップＳ３２で取得された照明ＩＤ、及び記憶部６３の情報記憶領域７６に記憶された認証情報４０（事業者ＩＤ及びパスワード）をサーバ２０に送信する。後述するサーバ登録処理（図１８参照）では、本ステップＳ３６で送信された照明ＩＤ及び認証情報４０を用いた認証が行われ、認証結果として、正常であることを示す情報、異常であることを示す情報、又は照明ＩＤ、ＵＲＬ、画像データ、及びコメントがサーバ２０から通信端末１６に送信される。なお、詳細は後述するが、正常であることを示す情報は、新規登録時の認証が正常であることを示す認証結果であり、照明ＩＤ、ＵＲＬ、画像データ、及びコメントは、更新処理時の認証が正常であることを示す認証結果である。また、異常であることを示す情報は、新規登録時又は更新処理時の認証が異常であることを示す認証結果である。
【００４５】
そこで、ステップＳ３８で、処理部３４は、サーバ２０から送信された認証結果を受信する。次のステップＳ４０で、処理部３４は、ステップＳ３８で受信した認証結果が異常であることを示す情報であるか否かを判定する。この判定が否定判定となった場合、処理部３４は、サーバ２０による認証が正常に行われたと見なして、処理はステップＳ４２に移行する。
【００４６】
ステップＳ４２で、表示制御部３６は、情報を登録するための登録画面を、入出力装置６５のディスプレイに表示する。図１４に、登録画面１２０の一例を示す。図１４に示すように、本実施形態に係る登録画面１２０は、プレビュー画像を表示する表示領域１２２、画像を選択するための選択ボタン１２４、及び再撮影ボタン１２６を含む。また、登録画面１２０は、登録対象とする被写体Ｈに関する情報（図１４に示す例ではコメント）を入力するための入力欄１２８、登録ボタン１３０、及び登録画面１２０の表示を終了するための終了ボタン１３２をさらに含む。
【００４７】
表示制御部３６は、ステップＳ３８で受信された認証結果が正常であることを示す情報である場合、プレビュー画像として、ステップＳ３４で取得された撮像画像を、表示領域１２２のサイズに合わせて表示領域１２２に表示する。また、この場合、表示制御部３６は、入力欄１２８は空欄として表示する。
【００４８】
一方、表示制御部３６は、ステップＳ３８で受信された認証結果が、照明ＩＤ、ＵＲＬ、画像データ、及びコメントである場合、プレビュー画像として、受信された画像データが示す画像を表示領域１２２のサイズに合わせて表示領域１２２に表示する。また、この場合、表示制御部３６は、入力欄１２８に受信されたコメントを表示する。なお、この場合、表示制御部３６は、プレビュー画像として、ステップＳ３４で取得された撮像画像を表示領域１２２のサイズに合わせて表示領域１２２に表示してもよい。
【００４９】
通信端末１６のユーザは、プレビュー画像を確認し、画像を通信端末１６内に記憶されている画像に変更したい場合は、選択ボタン１２４を選択して他の画像を選択する。この場合、表示制御部３６は、プレビュー画像として、選択された画像を、表示領域１２２のサイズに合わせて表示領域１２２に表示する。
【００５０】
また、通信端末１６のユーザは、プレビュー画像を確認し、画像を再撮影して変更したい場合は、再撮影ボタン１２６を指定してカメラ１８により画像を撮像する。この場合、表示制御部３６は、プレビュー画像として、撮像された画像を、表示領域１２２のサイズに合わせて表示領域１２２に表示する。
【００５１】
また、通信端末１６のユーザは、入力欄１２８に被写体Ｈに関するコメントを入力する。そして、通信端末１６のユーザは、登録ボタン１３０を指定する。そこで、ステップＳ４４で、送信部３８は、ユーザにより登録ボタン１３０が指定されるまで待機する。ユーザにより登録ボタン１３０が指定されると、ステップＳ４４の判定が肯定判定となり、処理はステップＳ４６に移行する。
【００５２】
ステップＳ４６で、送信部３８は、照明ＩＤ、ＵＲＬ、プレビュー画像に対応する撮像画像、入力欄１２８に入力されたコメント、及び情報記憶領域７６に記憶された認証情報４０に含まれる事業者ＩＤをサーバ２０に送信する。ここで、ステップＳ３８で受信された認証結果が正常であることを示す情報である場合、送信部３８は、照明ＩＤ毎に一意となるＵＲＬを生成し、生成したＵＲＬをサーバ２０に送信する。また、ステップＳ３８で受信された認証結果が、照明ＩＤ、ＵＲＬ、画像データ、及びコメントである場合、送信部３８は、受信されたＵＲＬを送信する。
【００５３】
後述するサーバ登録処理（図１８参照）では、本ステップＳ４６で送信された各種情報に基づいて、登録処理が行われた後、登録処理が完了したことを示す完了情報がサーバ２０から通信端末１６に送信される。そこで、ステップＳ４８で、処理部３４は、サーバ２０から送信された完了情報を受信する。次のステップＳ５０で、表示制御部３６は、一例として図１５に示すように、登録が完了したことを示すメッセージ１３４を登録画面１２０の下部に追加して表示することで、登録画面１２０を更新する。本ステップＳ５０の処理が終了し、ユーザにより終了ボタン１３２が指定されると、本登録・更新処理が終了する。
【００５４】
通信端末１６のユーザは、引き続き登録した情報を修正したい場合は、前述したように選択ボタン１２４や再撮影ボタン１２６の指定、及び入力欄１２８の修正等を行って登録ボタン１３０を指定する。この場合、上記ステップＳ４６から上記ステップＳ５０の処理が再度実行される。
【００５５】
一方、ステップＳ４０の判定が肯定判定となった場合は、処理はステップＳ５２に移行する。ステップＳ５２で、表示制御部３６は、認証結果が異常であることを示す情報を通知するエラー通知画面を入出力装置６５のディスプレイに表示した後、本登録・更新処理が終了する。
【００５６】
一方、ステップＳ２０の判定が否定判定となった場合は、表示制御部３６は利用者機能を選択するためのボタン１１４が指定されたとみなして、処理はステップＳ２４に移行する。ステップＳ２４で、図１６に示す閲覧処理が実行された後、処理はステップＳ１０に戻る。
【００５７】
図１６に示す閲覧処理のステップＳ６０で、撮像制御部３０は、上記ステップＳ３０と同様に、カメラ１８を起動する。次のステップＳ６２で、処理部３４は、上記ステップＳ３２と同様に、撮像カメラ１８が受光した変調された照明光を復調処理して照明ＩＤを取得する。
【００５８】
次のステップＳ６４で、送信部３８は、ステップＳ６２で取得された照明ＩＤ、及び情報記憶領域７６に記憶された認証情報４０に含まれる事業者ＩＤをサーバ２０に送信する。後述するサーバ閲覧処理（図１９参照）では、本ステップＳ６４で送信された照明ＩＤ及び事業者ＩＤに基づいてＵＲＬが抽出された後、抽出されたＵＲＬがサーバ２０から通信端末１６に送信される。
【００５９】
そこで、ステップＳ６６で、処理部３４は、サーバ２０から送信されたＵＲＬを受信する。次のステップＳ６８で、送信部３８は、ステップＳ６６で受信されたＵＲＬに対して、ＨＴＴＰ要求を送信する。後述するサーバ閲覧処理（図１９参照）では、本ステップＳ６８で送信されたＨＴＴＰ要求に対するＨＴＴＰ応答として、ウェブページを表示するためのＨＴＭＬファイルがサーバ２０から通信端末１６に送信される。
【００６０】
そこで、ステップＳ７０で、表示制御部３６は、サーバ２０から送信されたＨＴＭＬファイルに従って、閲覧画面（ウェブページ）を入出力装置６５のディスプレイに表示する。図１７に、閲覧画面１４０の一例を示す。図１７に示すように、本実施形態に係る閲覧画面１４０は、撮像画像を表示する表示領域１４２、及びコメントを表示する表示領域１４４を含む。
【００６１】
一方、サーバ２０がサーバ処理プログラム９０を実行することで、図１８に示すサーバ登録処理及び図１９に示すサーバ閲覧処理を実行する。図１８に示すサーバ登録処理は、例えば上記ステップＳ３６の処理で通信端末１６により送信された照明ＩＤ及び認証情報４０をサーバ２０が受信した場合に、ＣＰＵ８１により実行が開始される。また、図１９に示すサーバ閲覧処理は、例えば上記ステップＳ６４の処理で通信端末１６により送信された照明ＩＤ及び事業者ＩＤをサーバ２０が受信した場合に、ＣＰＵ８１により実行が開始される。
【００６２】
図１８に示すサーバ登録処理のステップＳ８０で、受付部５０は、受信した照明ＩＤ及び認証情報４０（事業者ＩＤ及びパスワード）を取得する。次のステップＳ８２で、認証・配信部５２は、ステップＳ８２で取得された照明ＩＤ、事業者ＩＤ、及びパスワードを含むレコードが認証・配信テーブル５６に存在するか否かを判定する。この判定が肯定判定となった場合は、処理はステップＳ８４に移行する。
【００６３】
ステップＳ８４で、認証・配信部５２は、認証・配信テーブル５６を参照し、ステップＳ８２で取得された照明ＩＤ、事業者ＩＤ、及びパスワードを含むレコードにＵＲＬが記憶されているか否かを判定する。この判定が肯定判定となった場合は、処理はステップＳ８６に移行し、否定判定となった場合は、処理はステップＳ９０に移行する。
【００６４】
ステップＳ８６で、認証・配信部５２は、認証・配信テーブル５６を参照し、ステップＳ８２で取得された照明ＩＤ、事業者ＩＤ、及びパスワードを含むレコードに記憶されているＵＲＬを抽出する。次のステップＳ８８で、受付部５０は、受付テーブル５８を参照し、ステップＳ８０で取得した照明ＩＤ、及びステップＳ８６で抽出されたＵＲＬを含むレコードに記憶されている画像データの格納パス及びコメントを抽出する。そして、受付部５０は、ステップＳ８０で取得した照明ＩＤ、ステップＳ８６で抽出されたＵＲＬ、抽出した格納パスに記憶されている画像データ、及び抽出したコメントを通信端末１６に送信する。本ステップＳ８８で送信された照明ＩＤ、ＵＲＬ、画像データ、及びコメントは、認証結果として、上記ステップＳ３８の処理で通信端末１６により受信される。
【００６５】
一方、ステップＳ９０で、受付部５０は、正常であることを示す情報を通信端末１６に送信する。本ステップＳ９０で送信された正常であることを示す情報は、認証結果として、上記ステップＳ３８の処理で通信端末１６により受信される。通信端末１６は、上記ステップＳ３８の処理で認証結果として異常を示す情報以外を受信すると、ステップＳ４６の処理で各種情報をサーバ２０に送信する。
【００６６】
そこで、ステップＳ９２で、受付部５０は、上記ステップＳ４６の処理で通信端末１６により送信された照明ＩＤ、ＵＲＬ、撮像画像、コメント、及び事業者ＩＤを受信する。次のステップＳ９４で、受付部５０は、ステップＳ９２で受信された照明ＩＤ、ＵＲＬ、撮像画像、及びコメントを用いて、受付テーブル５８を更新する。すなわち、受付部５０は、ステップＳ９２で受信された撮像画像を示す画像データを記憶部８３に記憶する。また、受付部５０は、ステップＳ９２で受信された照明ＩＤ及びＵＲＬを含むレコードが受付テーブル５８に存在しない場合は、照明ＩＤ、ＵＲＬ、画像データの格納パス、及びコメントを受付テーブル５８に追加する。一方、受付部５０は、ステップＳ９２で受信された照明ＩＤ及びＵＲＬを含むレコードが受付テーブル５８に存在する場合は、該レコードの画像データの格納パス、及びコメントを更新する。
【００６７】
次のステップＳ９６で、認証・配信部５２は、ステップＳ９２で受信された照明ＩＤ、ＵＲＬ、及び事業者ＩＤを用いて、認証・配信テーブル５６を更新する。すなわち、認証・配信部５２は、認証・配信テーブル５６を参照して、ステップＳ９２で受信された照明ＩＤ及び事業者ＩＤを含むレコードのＵＲＬ列に、ステップＳ９２で受信されたＵＲＬを記憶する。なお、照明ＩＤ及び事業者ＩＤを含むレコードのＵＲＬ列に、すでにＵＲＬが記憶されている場合は、ステップＳ９２で受信されたＵＲＬを記憶しない形態としてもよい。
【００６８】
次のステップＳ９８で、受付部５０は、ステップＳ９２で受信された撮像画像及びコメントを表示するためのＨＴＭＬファイルを生成する。次のステップＳ１００で、ウェブ表示部５４は、ステップＳ９８で生成されたＨＴＭＬファイルを、ステップＳ９２で受信されたＵＲＬに対応する記憶部８３の記憶領域に記憶する。次のステップＳ１０２で、受付部５０は、登録処理が完了したことを示す完了情報を通信端末１６に送信した後、本サーバ登録処理は終了する。本ステップＳ１０２で送信された完了情報は、上記ステップＳ４８の処理で通信端末１６により受信される。
【００６９】
一方、上記ステップＳ８２の判定が否定判定となった場合は、処理はステップＳ１０４に移行する。ステップＳ１０４で、受付部５０は、異常であることを示す情報を通信端末１６に送信した後、本サーバ登録処理は終了する。本ステップＳ１０４で送信された異常であることを示す情報は、認証結果として、上記ステップＳ３８の処理で通信端末１６により受信される。
【００７０】
図１９に示すサーバ閲覧処理のステップＳ１１０で、認証・配信部５２は、受信した照明ＩＤ及び事業者ＩＤを取得する。次のステップＳ１１２で、認証・配信部５２は、認証・配信テーブル５６を参照し、ステップＳ１１０で取得した照明ＩＤ及び事業者ＩＤを含むレコードに記憶されているＵＲＬを抽出する。次のステップＳ１１４で、受付部５０は、ステップＳ１１２で抽出されたＵＲＬを通信端末１６に送信する。本ステップＳ１１４で送信されたＵＲＬは、上記ステップＳ６６の処理で通信端末１６により受信される。
【００７１】
通信端末１６は、ＵＲＬを受信すると、上記ステップＳ６８の処理により、受信したＵＲＬに対し、ＨＴＴＰ要求を送信する。そこで、ステップＳ１１６で、ウェブ表示部５４は、通信端末１６により送信されたＨＴＴＰ要求を受信する。次のステップＳ１１８で、ウェブ表示部５４は、ステップＳ１１６で受信したＨＴＴＰ要求に対するＨＴＴＰ応答として、ＨＴＴＰ要求のあったＵＲＬに対応し、かつ上記ステップＳ１００の処理で記憶されたＨＴＭＬファイルを通信端末１６に送信する。本ステップＳ１１８の処理が終了すると、本サーバ閲覧処理は終了する。本ステップＳ１１８で送信されたＨＴＭＬファイルは、上記ステップＳ７０の処理で通信端末１６により受信される。
【００７２】
次に、図２０〜図２２を参照して、通信端末１６とサーバ２０との間での情報の送受信の一例について説明する。なお、図２０は、情報の新規登録処理を行う場合のシーケンス図、図２１は、既に登録済みの情報の更新処理を行う場合のシーケンス図、図２２は、閲覧処理を行う場合のシーケンス図である。また、図２０〜図２２の各シーケンス図に含まれる各処理について、図１２、図１６、図１８、及び図１９に示す各処理の対応する処理と同様の符号を付している。
【００７３】
図２０に示すように、機能選択画面１１０で管理者機能を選択するボタン１１２が指定されると、通信端末１６はカメラ１８を起動する（Ｓ３０）。次に、通信端末１６は照明ＩＤを取得し、かつ撮像画像を取得する（Ｓ３２、Ｓ３４）。そして、通信端末１６は、照明ＩＤ及び認証情報４０をサーバ２０に送信する（Ｓ３６）。
【００７４】
サーバ２０は、照明ＩＤ及び認証情報４０を受信すると、認証・配信テーブル５６を参照して認証を行う（Ｓ８２、Ｓ８４）。ここでは、一例として、受信した照明ＩＤ、事業者ＩＤ、及びパスワードを含むレコードが認証・配信テーブル５６に存在する場合について説明する。なお、新規登録処理であるため、該レコードにはＵＲＬは記憶されていない。すなわち、ここでは、一例として、サーバ登録処理のステップＳ８２の判定が肯定判定となり、ステップＳ８４の判定が否定判定となる場合について説明する。従って、サーバ２０は、認証結果として、正常であることを示す情報を通信端末１６に送信する（Ｓ９０）。
【００７５】
通信端末１６は、認証結果として正常であることを示す情報を受信すると、登録画面１２０を入出力装置６５のディスプレイに表示する（Ｓ３８〜Ｓ４２）。登録画面１２０を介してユーザによる入力等が行われ、登録ボタン１３０が指定されると、通信端末１６は、照明ＩＤ、ＵＲＬ、撮像画像、コメント、及び事業者ＩＤを送信する（Ｓ４４、Ｓ４６）。
【００７６】
サーバ２０は、照明ＩＤ、ＵＲＬ、撮像画像、コメント、及び事業者ＩＤを受信すると、受付テーブル５８を更新する（Ｓ９２、Ｓ９４）。また、サーバ２０は、認証・配信テーブル５６も更新する（Ｓ９６）。また、サーバ２０は、ＨＴＭＬファイルを生成し（Ｓ９８）、記憶部８３に記憶する（Ｓ１００）。そして、サーバ２０は、登録処理が完了したことを示す完了情報を通信端末１６に送信する（Ｓ１０２）。
【００７７】
通信端末１６は、完了情報を受信すると、登録画面１２０を更新する（Ｓ４８、Ｓ５０）。
【００７８】
次に、図２１を参照して、既に登録済みの情報を更新する場合の通信端末１６とサーバ２０との間での情報の送受信の一例について説明する。ここでは、一例として、ステップＳ８０でサーバ２０が受信した照明ＩＤ、事業者ＩＤ、及びパスワードを含むレコードが認証・配信テーブル５６に存在する場合について説明する。なお、既に登録済みの情報の更新処理であるため、該レコードにはＵＲＬが記憶されている。また、図２１における図２０と同様の部分については、ここでは説明を省略する。
【００７９】
この場合、サーバ登録処理のステップＳ８２及びステップＳ８４の判定が各々肯定判定となるため、サーバ２０は、認証・配信テーブル５６を参照し、受信した照明ＩＤ、事業者ＩＤ、及びパスワードを含むレコードに記憶されているＵＲＬを抽出する（Ｓ８６）。また、サーバ２０は、受付テーブル５８を参照し、受信した照明ＩＤ、及び抽出したＵＲＬを含むレコードに記憶されている画像データの格納パス及びコメントを抽出する。そして、サーバ２０は、認証結果として、照明ＩＤ、ＵＲＬ、画像データ、及びコメントを通信端末１６に送信する（Ｓ８８）。
【００８０】
通信端末１６は、認証結果として照明ＩＤ、ＵＲＬ、画像データ、及びコメントを受信すると、登録画面１２０を入出力装置６５のディスプレイに表示する（Ｓ３８〜Ｓ４２）。
【００８１】
一方、図２２に示すように、機能選択画面１１０で利用者機能を選択するためのボタン１１４が指定されると、通信端末１６はカメラ１８を起動する（Ｓ６０）。次に、通信端末１６は照明ＩＤを取得する（Ｓ６２）。そして、通信端末１６は、照明ＩＤ及び事業者ＩＤをサーバ２０に送信する（Ｓ６４）。
【００８２】
サーバ２０は、照明ＩＤ及び事業者ＩＤを受信すると、認証・配信テーブル５６を参照し、受信した照明ＩＤ及び事業者ＩＤを含むレコードに記憶されているＵＲＬを抽出する（Ｓ１１０、Ｓ１１２）。そして、サーバ２０は、抽出したＵＲＬを通信端末１６に送信する（Ｓ１１４）。
【００８３】
通信端末１６は、ＵＲＬを受信すると、受信したＵＲＬに対して、ＨＴＴＰ要求を送信する（Ｓ６６、Ｓ６８）。サーバ２０は、ＨＴＴＰ要求を受信すると、ＨＴＴＰ要求のあったＵＲＬに対応するＨＴＭＬファイルを通信端末１６に送信する（Ｓ１１６、Ｓ１１８）。通信端末１６は、ＨＴＭＬファイルを受信すると、受信したＨＴＭＬファイルに従って閲覧画面１４０を入出力装置６５のディスプレイに表示する（Ｓ７０）。
【００８４】
以上説明したように、本実施形態によれば、撮像カメラで撮像された撮像画像を取得するとともに、撮像カメラが受光した変調された照明光を復調処理して情報（本実施形態では、照明ＩＤ）を取得する。そして、取得した撮像画像を送信するとともに、該撮像画像を用いて更新する対象のウェブページ又はウェブページ上のコンテンツを取得した情報を用いて指定する信号（本実施形態ではＵＲＬ）を送信する。従って、通信端末１６のユーザは、通信端末１６を操作することで撮像画像と、上記指定する信号とを一度に送信することができる。これにより、ウェブページの更新作業の負荷を低減することができる。また、直感的な操作であるため、情報リテラシーが比較的低いユーザでも、ウェブページの登録・更新作業を容易に行うことができる。
【００８５】
また、本実施形態によれば、ウェブページに関する更新指示の入力に応じて、撮像画像と上記指定する信号の送信を行う。これにより、ユーザの所望のタイミングで、撮像画像と上記指定する信号とを送信することができる。
【００８６】
また、本実施形態によれば、更新指示を入力するための画面（本実施形態では、登録画面１２０）を表示装置に表示する場合に、撮像画像をプレビュー画像として表示する。これにより、ユーザが撮像画像を確認した上で更新指示を入力することができる。
【００８７】
また、本実施形態によれば、上記情報を取得したタイミングで撮像カメラにより撮像された撮像画像を取得プレビュー画像として表示する。従って、ユーザが撮像カメラにより撮像を行う操作を行わなくても撮像画像を取得することができる。これにより、ウェブページの更新作業の負荷をより低減することができる。
【００８８】
なお、上記実施形態では、照明ＩＤを取得したタイミングでカメラ１８により撮像を行う場合について説明したが、これに限定されない。例えば、ユーザが通信端末の入出力装置６５のディスプレイをタップしたタイミング等のユーザにより撮像操作が行われたタイミングでカメラ１８により撮像を行う形態としてもよい。
【００８９】
また、上記実施形態では、通信端末１６がＵＲＬを生成する場合について説明したが、これに限定されない。例えば、ユーザがＵＲＬを入力する形態としてもよい。この場合、例えば、登録画面１２０にＵＲＬの入力欄を表示する形態が例示される。
【００９０】
また、上記実施形態において、登録画面１２０に選択ボタン１２４及び再撮影ボタン１２６を表示せずに、撮像画像をそのまま送信する形態としてもよい。
【００９１】
また、上記実施形態において、ユーザにより撮像画像に対して所定の画像処理を行う指示を入力させる形態としてもよい。この場合、一例として図２３に示すように、登録画面１２０に撮像画像を編集するための編集ボタン１２７をさらに表示する形態が例示される。そして、ユーザは、登録画面１２０のプレビュー画像を確認し、撮像画像に対して画像処理を行いたい場合は編集ボタン１２７を指定する。
【００９２】
通信端末１６は、編集ボタン１２７が指定されると、一例として図２４に示す編集画面１５０をディスプレイに表示する。図２４に示すように、編集画面１５０は、編集対象とする撮像画像の表示領域１５２、範囲選択ボタン１５４、及び撮像画像の輝度を調整するためのスライドバー１５６を含む。また、編集画面１５０は、スライドバー１５６の移動可能範囲１５８、完了ボタン１６０、及びキャンセルボタン１６２をさらに含む。
【００９３】
通信端末１６のユーザは、撮像画像に対する画像処理の一例として切り抜き（トリミング）処理を行う場合は、範囲選択ボタン１５４を指定し、表示領域１５２内の切り抜き対象とする範囲１５２Ａを指定する。また、ユーザは、撮像画像に対する画像処理の一例として画像の輝度を調整する処理を行う場合は、スライドバー１５６を移動可能範囲１５８内で、輝度の高低を調整する方向（図２４に示す左右方向）に移動する。
【００９４】
そして、ユーザは、画像処理が完了した場合は完了ボタン１６０を指定する。完了ボタン１６０が指定されると、通信端末１６は、プレビュー画像を、画像処理を経た画像に変更して表示領域１２２に表示した登録画面１２０をディスプレイに表示する。この場合、さらに、登録画面１２０においてユーザにより登録ボタン１３０が指定されると、通信端末１６は、プレビュー画像に対応する画像処理を経た画像をサーバ２０に送信する。なお、画像処理は上記の例に限定されず、コントラストの調整や画像の回転等、他の画像処理を含んでもよい。
【００９５】
また、上記実施形態において、撮像画像、照明ＩＤ、及び照明ＩＤに紐づくＵＲＬに加えて、通信端末１６の位置情報、及び外部への接続情報の少なくとも一方をサーバ２０に送信する形態としてもよい。なお、位置情報は、通信端末１６が有するGlobal Positioning System（ＧＰＳ）等から取得し、接続情報は、通信端末１６が有するＢｌｕｅｔｏｏｔｈ（登録商標）及びＷｉ−Ｆｉ（登録商標）等の接続情報から取得する形態が例示される。例えば、撮像画像及びＵＲＬに加えて、位置情報を用いる場合、照明機器１２及び被写体Ｈの設置場所に応じて被写体Ｈに関する表示内容を変えることができる。また、この場合、例えば、位置情報をＵＲＬに付与する形態としてもよい。
【００９６】
また、本発明を在庫管理システム等にも適用することができる。この形態例の場合の受付テーブル５８の一例を図２５に示す。図２５に示すように、本変形例に係る受付テーブル５８は、被写体Ｈに関する情報として、上記実施形態に係る受付テーブル５８のコメントに代えて、設置場所、商品ＩＤ、商品名、及び在庫数を含む。設置場所は被写体Ｈが置かれている場所であり、商品ＩＤは被写体Ｈを識別する識別情報であり、商品名は被写体Ｈの名称であり、在庫数は被写体Ｈの在庫数である。
【００９７】
また、本変形例に係る閲覧画面の一例を図２６に示す。図２６に示すように、本変形例に係る閲覧画面１７０は、撮像画像を表示する表示領域１７２、及び被写体Ｈに関する情報を表示する表示領域１７４を含む。なお、本変形例において、例えば設置場所は、ユーザに入力させてもよいし、通信端末１６のＧＰＳ等により得られる位置情報を用いてもよい。この変形例では、照明ＩＤを含む照明光が照射された商品を撮像することにより、商品の画像を含み、かつ商品の在庫数を確認又は更新可能な画面を、通信端末１６に表示することができる。
【００９８】
また、照明機器１２が他の機器に組み込まれている場合、本発明を該機器の状態管理システム等にも適用することができる。この形態例の場合の受付テーブル５８の一例を図２７に示す。図２７に示すように、本変形例に係る受付テーブル５８は、被写体Ｈに関する情報として、上記実施形態に係る受付テーブル５８のコメントに代えて、機器の稼働状態を含む。稼働状態は、例えば、正常稼働、故障、及び停止中等の機器の稼働状態を表す情報である。例えば、機器に組み込まれた照明機器１２から、機器の稼動状態に応じた照明ＩＤを含む照明光を照射し、この照明機器１２が組み込まれた機器をカメラ１８で撮像する。また、本変形例に係る閲覧画面の一例を図２８に示す。図２８に示すように、本変形例に係る閲覧画面１８０は、撮像画像を表示する表示領域１８２、及び被写体Ｈに関する情報を表示する表示領域１８４を含む。この変形例では、照明ＩＤにより指定されるＵＲＬが示すウェブページにおいて、照明ＩＤに応じた機器の内部的な情報（稼動状態）を把握することができると共に、機器の外部的な情報（撮像画像）も確認することができる。
【００９９】
また、本発明を教室等の部屋への入退室管理システム等にも適用することができる。この形態例の場合の受付テーブル５８の一例を図２９に示す。図２９に示すように、本変形例に係る受付テーブル５８は、被写体Ｈに関する情報として、上記実施形態に係る受付テーブル５８のコメントに代えて、被写体Ｈが部屋に出入りする際に使った出入り口の場所、及び受験番号を含む。この受験番号は、被写体Ｈを識別する識別情報の一例である。この場合、照明機器１２は、出入り口の場所に対応して設けられているものとする。また、本変形例に係る閲覧画面の一例を図３０に示す。図３０に示すように、本変形例に係る閲覧画面１９０は、撮像画像を表示する表示領域１９２、及び被写体Ｈに関する情報を表示する表示領域１９４を含む。この変形例では、照明ＩＤにより指定されるＵＲＬが示すウェブページにおいて、部屋への入退室を行う人物の情報と、実際に入退室を行った人物の画像とを同時に確認することができ、入退室管理におけるセキュリティを強化することができる。
【０１００】
また、上記実施形態では、処理部３４が、照明ＩＤが取得されたタイミングで撮像カメラ１８により撮像された撮像画像（すなわち、静止画像）を取得する場合について説明したが、これに限定されない。例えば、処理部３４が、照明ＩＤが取得されたタイミング及び該タイミングの前後の少なくとも一方の所定期間に撮像カメラ１８により撮像された複数の撮像画像を動画像として取得する形態としてもよい。この場合、例えば、登録画面１２０の表示領域１２２、及び閲覧画面１４０の表示領域１４２に、動画像を表示する形態が例示される。すなわち、本発明の撮像画像は静止画像及び動画像を含む。
【０１０１】
また、上記実施形態では、受付部５０、認証・配信部５２、及びウェブ表示部５４の各機能部を１台のサーバコンピュータで実現する場合について説明したが、これに限定されない。例えば、各機能部を複数のサーバコンピュータに分散して実現する形態としてもよい。
【０１０２】
また、上記実施形態では、通信プログラム７０が記憶部６３に予め記憶（インストール）されている態様を説明したが、これに限定されない。通信プログラム７０は、ＣＤ−ＲＯＭ、ＤＶＤ−ＲＯＭ、ＵＳＢメモリ、メモリカード等の記録媒体に記録された形態で提供することも可能である。
【０１０３】
また、上記実施形態では、サーバ処理プログラム９０が記憶部８３に予め記憶（インストール）されている態様を説明したが、これに限定されない。サーバ処理プログラム９０は、ＣＤ−ＲＯＭ、ＤＶＤ−ＲＯＭ、ＵＳＢメモリ、メモリカード等の記録媒体に記録された形態で提供することも可能である。
【０１０４】
以上の実施形態に関し、更に以下の付記を開示する。
【０１０５】
（付記１）
コンピュータに、
撮像カメラで撮像された撮像画像を取得するとともに、前記撮像カメラが受光した変調された照明光を復調処理して情報を取得し、
取得した前記撮像画像を送信するとともに、該撮像画像を用いて更新する対象のウェブページ又はウェブページ上のコンテンツを取得した前記情報を用いて指定する信号を送信する、
ことを含む処理を実行させる通信プログラム。
【０１０６】
（付記２）
ウェブページに関する更新指示の入力に応じて、前記撮像画像と前記指定する信号の送信を行う、
付記１記載の通信プログラム。
【０１０７】
（付記３）
前記更新指示を入力するための画面を表示装置に表示する場合に、前記撮像カメラにより撮像された撮像画像をプレビュー画像として表示する、
付記２記載の通信プログラム。
【０１０８】
（付記４）
前記情報を取得したタイミングで前記撮像カメラにより撮像を行い、撮像された撮像画像を前記プレビュー画像として表示する、
付記３記載の通信プログラム。
【０１０９】
（付記５）
前記更新指示を入力するための画面を、前記撮像画像に対して画像処理を行う指示、及び画像を選択するための指示の少なくとも一方を入力可能に前記表示装置に表示し、
前記撮像画像に代えて、前記撮像画像に対して画像処理が行われた画像、又は選択された画像を送信するとともに、前記指定する信号を送信する、
付記３又は付記４記載の通信プログラム。
【０１１０】
（付記６）
前記撮像画像及び前記指定する信号を送信するとともに、前記撮像カメラを有する通信端末の位置情報及び前記通信端末の外部への接続情報の少なくとも一方を送信する、
付記１から付記５の何れか１項記載の通信プログラム。
【０１１１】
（付記７）
撮像カメラと、
前記撮像カメラで撮像された撮像画像を取得するとともに、前記撮像カメラが受光した変調された照明光を復調処理して情報を取得する処理部と、
取得した前記撮像画像を送信するとともに、該撮像画像を用いて更新する対象のウェブページ又はウェブページ上のコンテンツを取得した前記情報を用いて指定する信号を送信する送信部と、
を備えたことを特徴とする通信端末。
【０１１２】
（付記８）
前記送信部は、ウェブページに関する更新指示の入力に応じて、前記撮像画像と前記指定する信号の送信を行うことを特徴とする付記７記載の通信端末。
【０１１３】
（付記９）
前記更新指示を入力するための画面を表示装置に表示する場合に、前記撮像カメラにより撮像された撮像画像をプレビュー画像として表示する表示制御部、をさらに備えたことを特徴とする付記８記載の通信端末。
【０１１４】
（付記１０）
前記表示制御部は、前記情報を取得したタイミングで前記撮像カメラにより撮像を行い、撮像された撮像画像を前記プレビュー画像として表示することを特徴とする付記９記載の通信端末。
【０１１５】
（付記１１）
前記表示制御部は、前記更新指示を入力するための画面を、前記撮像画像に対して画像処理を行う指示、及び画像を選択するための指示の少なくとも一方を入力可能に前記表示装置に表示し、
前記送信部は、前記撮像画像に代えて、前記撮像画像に対して画像処理が行われた画像、又は選択された画像を送信するとともに、前記指定する信号を送信することを特徴とする付記９又は付記１０記載の通信端末。
【０１１６】
（付記１２）
前記送信部は、前記撮像画像及び前記指定する信号を送信するとともに、自端末の位置情報及び自端末の外部への接続情報の少なくとも一方を送信することを特徴とする付記７から付記１１の何れか１項記載の通信端末。
【０１１７】
（付記１３）
コンピュータに、
撮像カメラで撮像された撮像画像を取得するとともに、前記撮像カメラが受光した変調された照明光を復調処理して情報を取得し、
取得した前記撮像画像を送信するとともに、該撮像画像を用いて更新する対象のウェブページ又はウェブページ上のコンテンツを取得した前記情報を用いて指定する信号を送信する、
ことを含む処理を実行させる通信方法。
【０１１８】
（付記１４）
ウェブページに関する更新指示の入力に応じて、前記撮像画像と前記指定する信号の送信を行う、
付記１３記載の通信方法。
【０１１９】
（付記１５）
前記更新指示を入力するための画面を表示装置に表示する場合に、前記撮像カメラにより撮像された撮像画像をプレビュー画像として表示する、
付記１４記載の通信方法。
【０１２０】
（付記１６）
前記情報を取得したタイミングで前記撮像カメラにより撮像を行い、撮像された撮像画像を前記プレビュー画像として表示する、
付記１５記載の通信方法。
【０１２１】
（付記１７）
前記更新指示を入力するための画面を、前記撮像画像に対して画像処理を行う指示、及び画像を選択するための指示の少なくとも一方を入力可能に前記表示装置に表示し、
前記撮像画像に代えて、前記撮像画像に対して画像処理が行われた画像、又は選択された画像を送信するとともに、前記指定する信号を送信する、
付記１５又は付記１６記載の通信方法。
【０１２２】
（付記１８）
前記撮像画像及び前記指定する信号を送信するとともに、前記撮像カメラを有する通信端末の位置情報及び前記通信端末の外部への接続情報の少なくとも一方を送信する、
付記１３から付記１７の何れか１項記載の通信方法。
【０１２３】
（付記１９）
コンピュータに、
撮像カメラで撮像された撮像画像を取得するとともに、前記撮像カメラが受光した変調された照明光を復調処理して情報を取得し、
取得した前記撮像画像を送信するとともに、該撮像画像を用いて更新する対象のウェブページ又はウェブページ上のコンテンツを取得した前記情報を用いて指定する信号を送信する、
ことを含む処理を実行させる通信プログラムを記憶した記憶媒体。
【符号の説明】
【０１２４】
１０  通信システム
１２  照明機器
１４  光源
１６  通信端末
１８  撮像カメラ
２０  サーバコンピュータ
２４  制御部
３０  撮像制御部
３２  記憶制御部
３４  処理部
３６  表示制御部
３８  送信部
４０  認証情報
５０  受付部
５２  認証・配信部
５４  ウェブ表示部
５６  認証・配信テーブル
５８  受付テーブル
６０、８０  コンピュータ
６１、８１  ＣＰＵ
６２、８２  メモリ
６３、８３  記憶部
６５、８４  入出力装置
６９、８８  記録媒体
７０  通信プログラム
９０  サーバ処理プログラム
１００  認証情報入力画面
１１０  機能選択画面
１２０  登録画面
１４０、１７０、１８０、１９０  閲覧画面
１５０  編集画面
Ｈ  被写体
【図１】
2017199301.tif 000003
【図２】
2017199301.tif 000004
【図３】
2017199301.tif 000005
【図４】
2017199301.tif 000006
【図５】
2017199301.tif 000007
【図６】
2017199301.tif 000008
【図７】
2017199301.tif 000009
【図８】
2017199301.tif 000010
【図９】
2017199301.tif 000011
【図１０】
2017199301.tif 000012
【図１１】
2017199301.tif 000013
【図１２】
2017199301.tif 000014
【図１３】
2017199301.tif 000015
【図１４】
2017199301.tif 000016
【図１５】
2017199301.tif 000017
【図１６】
2017199301.tif 000018
【図１７】
2017199301.tif 000019
【図１８】
2017199301.tif 000020
【図１９】
2017199301.tif 000021
【図２０】
2017199301.tif 000022
【図２１】
2017199301.tif 000023
【図２２】
2017199301.tif 000024
【図２３】
2017199301.tif 000025
【図２４】
2017199301.tif 000026
【図２５】
2017199301.tif 000027
【図２６】
2017199301.tif 000028
【図２７】
2017199301.tif 000029
【図２８】
2017199301.tif 000030
【図２９】
2017199301.tif 000031
【図３０】
2017199301.tif 000032